(57)【要約】【課題】煩雑な操作を伴うことなく画像の印刷条件を設定できるデジタルカメラを提供する。【解決手段】デジタルカメラでは、所定の基準条件が満足されると、自動印刷設定処理がなされる。自動印刷設定処理では、自動プリントファイルが存在しないときは自動プリントファイルがメモリカード９１内に自動作成される（ステップＳ２３）。これとともに、対応する印刷ジョブ（印刷条件）が自動プリントファイルに登録されていない未登録画像がある場合は、未登録画像に対応する印刷ジョブとして初期条件が自動登録される（ステップＳ２９）。これにより、ユーザの煩雑な操作を伴うことなく、画像の印刷条件を設定できる。【選択図】図９
2005117119.tif 000002
【特許請求の範囲】
【請求項１】
デジタルカメラであって、
記録媒体内の画像の印刷条件を示す印刷条件ファイルを作成する作成手段と、
電源の投入／遮断を切り替える手段と、
を備え、
前記電源の投入開始に応答して、前記作成手段は、
前記印刷条件ファイルが前記記録媒体内に存在するか否かを確認し、
前記印刷条件ファイルが存在しないときは前記印刷条件ファイルを前記記録媒体内に作成することを特徴とするデジタルカメラ。
【請求項２】
デジタルカメラであって、
記録媒体内の画像の印刷条件を示す印刷条件ファイルに前記印刷条件を登録する登録手段と、
電源の投入／遮断を切り替える手段と、
を備え、
前記印刷条件は、印刷枚数を含み、
前記電源の投入開始に応答して、前記登録手段は、
前記記録媒体内の画像のうち、対応する印刷条件が前記印刷条件ファイルに登録されていない未登録画像があるか否かを確認し、
前記未登録画像がある場合は、印刷枚数に１以上の所定数が設定された初期条件を、前記未登録画像に対応する印刷条件として前記印刷条件ファイルに登録することを特徴とするデジタルカメラ。
【請求項３】
デジタルカメラであって、
記録媒体内の画像の印刷条件を示す印刷条件ファイルを作成する作成手段と、
前記記録媒体の前記デジタルカメラへの装着を検出する手段と、
を備え、
前記記録媒体の装着に応答して、前記作成手段は、
前記印刷条件ファイルが前記記録媒体内に存在するか否かを確認し、
前記印刷条件ファイルが存在しないときは前記印刷条件ファイルを前記記録媒体内に作成することを特徴とするデジタルカメラ。
【請求項４】
デジタルカメラであって、
記録媒体内の画像の印刷条件を示す印刷条件ファイルに前記印刷条件を登録する登録手段と、
前記記録媒体の前記デジタルカメラへの装着を検出する手段と、
を備え、
前記印刷条件は、印刷枚数を含み、
前記記録媒体の装着に応答して、前記登録手段は、
前記記録媒体内の画像のうち、対応する印刷条件が前記印刷条件ファイルに登録されていない未登録画像があるか否かを確認し、
前記未登録画像がある場合は、印刷枚数に１以上の所定数が設定された初期条件を、前記未登録画像に対応する印刷条件として前記印刷条件ファイルに登録することを特徴とするデジタルカメラ。
【請求項５】
デジタルカメラであって、
記録媒体内の画像の印刷条件を示す印刷条件ファイルを作成する作成手段と、
前記記録媒体にアクセスする手段と、
を備え、
前記記録媒体へのアクセスに応答して、前記作成手段は、
前記印刷条件ファイルが前記記録媒体内に存在するか否かを確認し、
前記印刷条件ファイルが存在しないときは前記印刷条件ファイルを前記記録媒体内に作成することを特徴とするデジタルカメラ。
【請求項６】
デジタルカメラであって、
記録媒体内の画像の印刷条件を示す印刷条件ファイルに前記印刷条件を登録する登録手段と、
前記記録媒体にアクセスする手段と、
を備え、
前記印刷条件は、印刷枚数を含み、
前記記録媒体へのアクセスに応答して、前記登録手段は、
前記記録媒体内の画像のうち、対応する印刷条件が前記印刷条件ファイルに登録されていない未登録画像があるか否かを確認し、
前記未登録画像がある場合は、印刷枚数に１以上の所定数が設定された初期条件を、前記未登録画像に対応する印刷条件として前記印刷条件ファイルに登録することを特徴とするデジタルカメラ。
【請求項７】
デジタルカメラであって、
記録媒体内の画像の印刷条件を示す印刷条件ファイルを作成する作成手段と、
前記印刷条件を設定するためのプリントモードを含む複数の動作モードのいずれかを選択的に能動化する手段と、
を備え、
前記プリントモードの能動化に応答して、前記作成手段は、
前記印刷条件ファイルが前記記録媒体内に存在するか否かを確認し、
前記印刷条件ファイルが存在しないときは前記印刷条件ファイルを前記記録媒体内に作成することを特徴とするデジタルカメラ。
【請求項８】
デジタルカメラであって、
記録媒体内の画像の印刷条件を示す印刷条件ファイルに前記印刷条件を登録する登録手段と、
前記印刷条件を設定するためのプリントモードを含む複数の動作モードのいずれかを選択的に能動化する手段と、
を備え、
前記印刷条件は、印刷枚数を含み、
前記プリントモードの能動化に応答して、前記登録手段は、
前記記録媒体内の画像のうち、対応する印刷条件が前記印刷条件ファイルに登録されていない未登録画像があるか否かを確認し、
前記未登録画像がある場合は、印刷枚数に１以上の所定数が設定された初期条件を、前記未登録画像に対応する印刷条件として前記印刷条件ファイルに登録することを特徴とするデジタルカメラ。
【請求項９】
デジタルカメラであって、
記録媒体内の画像の印刷条件を示す印刷条件ファイルを作成する作成手段と、
ユーザ操作を受け付ける複数の操作部材と、
前記複数の操作部材のいずれもがユーザ操作を受け付けなかった無操作時間を計時する手段と、
を備え、
前記無操作時間が所定の基準時間を超えたとき、前記作成手段は、
前記印刷条件ファイルが前記記録媒体内に存在するか否かを確認し、
前記印刷条件ファイルが存在しないときは前記印刷条件ファイルを前記記録媒体内に作成することを特徴とするデジタルカメラ。
【請求項１０】
デジタルカメラであって、
記録媒体内の画像の印刷条件を示す印刷条件ファイルに前記印刷条件を登録する登録手段と、
ユーザ操作を受け付ける複数の操作部材と、
前記複数の操作部材のいずれもがユーザ操作を受け付けなかった無操作時間を計時する手段と、
を備え、
前記印刷条件は、印刷枚数を含み、
前記無操作時間が所定の基準時間を超えたとき、前記登録手段は、
前記記録媒体内の画像のうち、対応する印刷条件が前記印刷条件ファイルに登録されていない未登録画像があるか否かを確認し、
前記未登録画像がある場合は、印刷枚数に１以上の所定数が設定された初期条件を、前記未登録画像に対応する印刷条件として前記印刷条件ファイルに登録することを特徴とするデジタルカメラ。
【請求項１１】
デジタルカメラであって、
記録媒体内の画像の印刷条件を示す印刷条件ファイルを作成する作成手段と、
前記記録媒体の空き容量を取得する手段と、
を備え、
所定の基準条件が満足されたとき、前記作成手段は、
前記印刷条件ファイルが前記記録媒体内に存在するか否かを確認し、
前記印刷条件ファイルが存在せず、かつ、前記空き容量が所定の基準量を超えるときは、前記印刷条件ファイルを前記記録媒体内に作成することを特徴とするデジタルカメラ。
【請求項１２】
デジタルカメラであって、
記録媒体内の画像の印刷条件を示す印刷条件ファイルに前記印刷条件を登録する登録手段と、
前記記録媒体の空き容量を取得する手段と、
を備え、
前記印刷条件は、印刷枚数を含み、
所定の基準条件が満足されたとき、前記登録手段は、
前記記録媒体内の画像のうち、対応する印刷条件が前記印刷条件ファイルに登録されていない未登録画像があるか否かを確認し、
前記未登録画像があり、かつ、前記空き容量が所定の基準量を超えるときは、印刷枚数に１以上の所定数が設定された初期条件を、前記未登録画像に対応する印刷条件として前記印刷条件ファイルに登録することを特徴とするデジタルカメラ。
【発明の詳細な説明】
【技術分野】
【０００１】
本発明は、画像の印刷条件を設定可能なデジタルカメラに関する。
【背景技術】
【０００２】
近年、デジタルカメラで取得されメモリカード内に記録された画像の印刷を、写真店（ラボ）に依頼するときなどに便利なように、メモリカード内の画像それぞれの印刷枚数などの印刷条件を簡便に指定できる技術が提案されている。
【０００３】
例えば、ＤＰＯＦ（Ｒ）（Digital Print Order Format）規格に対応したデジタルカメラでは、所定の操作を行なうことで、画像の印刷条件を示す自動プリントファイルを、画像が記録されたメモリカード内に作成できる（例えば、特許文献１参照。）。写真店では、このような自動プリントファイルを参照することで画像それぞれの印刷条件を把握できるため、印刷依頼時に注文用紙などよる印刷枚数の指定等が不要となる。
【０００４】
その他、この出願に関連する先行技術文献情報として特許文献２がある。
【０００５】
【特許文献１】特開２００２−２２３３７９号公報
【特許文献２】特開２００２−４４５７７号公報
【発明の開示】
【発明が解決しようとする課題】
【０００６】
ところで、従来のデジタルカメラにおいて、上記のような自動プリントファイルの作成や、画像の印刷条件の設定を行なうためには、所定の操作が必要となる。しかしながら、一般にこのような操作は煩雑であるため、せっかくの機能が活用されないことが多かった。例えば、メモリカード内の複数の画像について１枚ずつの印刷を所望する場合は、複数の画像それぞれに対して印刷枚数を１枚に設定するという操作が必要となる。このため、メモリカード内に多数の画像が存在するときには、膨大な回数の操作が必要となり、操作が非常に煩雑となる。
【０００７】
本発明は、上記課題に鑑みてなされたものであり、煩雑な操作を伴うことなく自動プリントファイルを作成できるデジタルカメラを提供することを第１の目的とする。
【０００８】
また、本発明は、煩雑な操作を伴うことなく画像の印刷条件を設定できるデジタルカメラを提供することを第２の目的とする。
【課題を解決するための手段】
【０００９】
上記課題を解決するため、請求項１の発明は、デジタルカメラであって、記録媒体内の画像の印刷条件を示す印刷条件ファイルを作成する作成手段と、電源の投入／遮断を切り替える手段と、を備え、前記電源の投入開始に応答して、前記作成手段は、前記印刷条件ファイルが前記記録媒体内に存在するか否かを確認し、前記印刷条件ファイルが存在しないときは前記印刷条件ファイルを前記記録媒体内に作成する。
【００１０】
また、請求項２の発明は、デジタルカメラであって、記録媒体内の画像の印刷条件を示す印刷条件ファイルに前記印刷条件を登録する登録手段と、電源の投入／遮断を切り替える手段と、を備え、前記印刷条件は、印刷枚数を含み、前記電源の投入開始に応答して、前記登録手段は、前記記録媒体内の画像のうち、対応する印刷条件が前記印刷条件ファイルに登録されていない未登録画像があるか否かを確認し、前記未登録画像がある場合は、印刷枚数に１以上の所定数が設定された初期条件を、前記未登録画像に対応する印刷条件として前記印刷条件ファイルに登録する。
【００１１】
また、請求項３の発明は、デジタルカメラであって、記録媒体内の画像の印刷条件を示す印刷条件ファイルを作成する作成手段と、前記記録媒体の前記デジタルカメラへの装着を検出する手段と、を備え、前記記録媒体の装着に応答して、前記作成手段は、前記印刷条件ファイルが前記記録媒体内に存在するか否かを確認し、前記印刷条件ファイルが存在しないときは前記印刷条件ファイルを前記記録媒体内に作成する。
【００１２】
また、請求項４の発明は、デジタルカメラであって、記録媒体内の画像の印刷条件を示す印刷条件ファイルに前記印刷条件を登録する登録手段と、前記記録媒体の前記デジタルカメラへの装着を検出する手段と、を備え、前記印刷条件は、印刷枚数を含み、前記記録媒体の装着に応答して、前記登録手段は、前記記録媒体内の画像のうち、対応する印刷条件が前記印刷条件ファイルに登録されていない未登録画像があるか否かを確認し、前記未登録画像がある場合は、印刷枚数に１以上の所定数が設定された初期条件を、前記未登録画像に対応する印刷条件として前記印刷条件ファイルに登録する。
【００１３】
また、請求項５の発明は、デジタルカメラであって、記録媒体内の画像の印刷条件を示す印刷条件ファイルを作成する作成手段と、前記記録媒体にアクセスする手段と、を備え、前記記録媒体へのアクセスに応答して、前記作成手段は、前記印刷条件ファイルが前記記録媒体内に存在するか否かを確認し、前記印刷条件ファイルが存在しないときは前記印刷条件ファイルを前記記録媒体内に作成する。
【００１４】
また、請求項６の発明は、デジタルカメラであって、記録媒体内の画像の印刷条件を示す印刷条件ファイルに前記印刷条件を登録する登録手段と、前記記録媒体にアクセスする手段と、を備え、前記印刷条件は、印刷枚数を含み、前記記録媒体へのアクセスに応答して、前記登録手段は、前記記録媒体内の画像のうち、対応する印刷条件が前記印刷条件ファイルに登録されていない未登録画像があるか否かを確認し、前記未登録画像がある場合は、印刷枚数に１以上の所定数が設定された初期条件を、前記未登録画像に対応する印刷条件として前記印刷条件ファイルに登録する。
【００１５】
また、請求項７の発明は、デジタルカメラであって、記録媒体内の画像の印刷条件を示す印刷条件ファイルを作成する作成手段と、前記印刷条件を設定するためのプリントモードを含む複数の動作モードのいずれかを選択的に能動化する手段と、を備え、前記プリントモードの能動化に応答して、前記作成手段は、前記印刷条件ファイルが前記記録媒体内に存在するか否かを確認し、前記印刷条件ファイルが存在しないときは前記印刷条件ファイルを前記記録媒体内に作成する。
【００１６】
また、請求項８の発明は、デジタルカメラであって、記録媒体内の画像の印刷条件を示す印刷条件ファイルに前記印刷条件を登録する登録手段と、前記印刷条件を設定するためのプリントモードを含む複数の動作モードのいずれかを選択的に能動化する手段と、を備え、前記印刷条件は、印刷枚数を含み、前記プリントモードの能動化に応答して、前記登録手段は、前記記録媒体内の画像のうち、対応する印刷条件が前記印刷条件ファイルに登録されていない未登録画像があるか否かを確認し、前記未登録画像がある場合は、印刷枚数に１以上の所定数が設定された初期条件を、前記未登録画像に対応する印刷条件として前記印刷条件ファイルに登録する。
【００１７】
また、請求項９の発明は、デジタルカメラであって、記録媒体内の画像の印刷条件を示す印刷条件ファイルを作成する作成手段と、ユーザ操作を受け付ける複数の操作部材と、前記複数の操作部材のいずれもがユーザ操作を受け付けなかった無操作時間を計時する手段と、を備え、前記無操作時間が所定の基準時間を超えたとき、前記作成手段は、前記印刷条件ファイルが前記記録媒体内に存在するか否かを確認し、前記印刷条件ファイルが存在しないときは前記印刷条件ファイルを前記記録媒体内に作成する。
【００１８】
また、請求項１０の発明は、デジタルカメラであって、記録媒体内の画像の印刷条件を示す印刷条件ファイルに前記印刷条件を登録する登録手段と、ユーザ操作を受け付ける複数の操作部材と、前記複数の操作部材のいずれもがユーザ操作を受け付けなかった無操作時間を計時する手段と、を備え、前記印刷条件は、印刷枚数を含み、前記無操作時間が所定の基準時間を超えたとき、前記登録手段は、前記記録媒体内の画像のうち、対応する印刷条件が前記印刷条件ファイルに登録されていない未登録画像があるか否かを確認し、前記未登録画像がある場合は、印刷枚数に１以上の所定数が設定された初期条件を、前記未登録画像に対応する印刷条件として前記印刷条件ファイルに登録する。
【００１９】
また、請求項１１の発明は、デジタルカメラであって、記録媒体内の画像の印刷条件を示す印刷条件ファイルを作成する作成手段と、前記記録媒体の空き容量を取得する手段と、を備え、所定の基準条件が満足されたとき、前記作成手段は、前記印刷条件ファイルが前記記録媒体内に存在するか否かを確認し、前記印刷条件ファイルが存在せず、かつ、前記空き容量が所定の基準量を超えるときは、前記印刷条件ファイルを前記記録媒体内に作成する。
【００２０】
また、請求項１２の発明は、デジタルカメラであって、記録媒体内の画像の印刷条件を示す印刷条件ファイルに前記印刷条件を登録する登録手段と、前記記録媒体の空き容量を取得する手段と、を備え、前記印刷条件は、印刷枚数を含み、所定の基準条件が満足されたとき、前記登録手段は、前記記録媒体内の画像のうち、対応する印刷条件が前記印刷条件ファイルに登録されていない未登録画像があるか否かを確認し、前記未登録画像があり、かつ、前記空き容量が所定の基準量を超えるときは、印刷枚数に１以上の所定数が設定された初期条件を、前記未登録画像に対応する印刷条件として前記印刷条件ファイルに登録する。
【発明の効果】
【００２１】
請求項１の発明によれば、電源の投入開始に応答して、印刷条件ファイルが作成されるため、煩雑な操作を伴うことなく印刷条件ファイルを作成できる。
【００２２】
また、請求項２の発明によれば、電源の投入開始に応答して、未登録画像に対して初期条件が登録されるため、煩雑な操作を伴うことなく記録媒体内の画像の印刷条件を設定できる。
【００２３】
また、特に請求項３の発明によれば、記録媒体の装着に応答して、印刷条件ファイルが作成されるため、煩雑な操作を伴うことなく印刷条件ファイルを作成できる。
【００２４】
また、特に請求項４の発明によれば、記録媒体の装着に応答して、未登録画像に対して初期条件が登録されるため、煩雑な操作を伴うことなく記録媒体内の画像の印刷条件を設定できる。
【００２５】
また、特に請求項５の発明によれば、記録媒体へのアクセスに応答して印刷条件ファイルが作成されるため、煩雑な操作を伴うことなく印刷条件ファイルを作成できる。
【００２６】
また、特に請求項６の発明によれば、記録媒体へのアクセスに応答して、未登録画像に対して初期条件が登録されるため、煩雑な操作を伴うことなく記録媒体内の画像の印刷条件を設定できる。
【００２７】
また、特に請求項７の発明によれば、プリントモードの能動化に応答して、印刷条件ファイルが作成されるため、煩雑な操作を伴うことなく印刷条件ファイルを作成できる。
【００２８】
また、特に請求項８の発明によれば、プリントモードの能動化に応答して、未登録画像に対して初期条件が登録されるため、煩雑な操作を伴うことなく記録媒体内の画像の印刷条件を設定できる。
【００２９】
また、特に請求項９の発明によれば、無操作時間が所定の基準時間を超えたとき、印刷条件ファイルが作成されるため、煩雑な操作を伴うことなく印刷条件ファイルを作成できる。
【００３０】
また、特に請求項１０の発明によれば、無操作時間が所定の基準時間を超えたとき、未登録画像に対して初期条件が登録されるため、煩雑な操作を伴うことなく記録媒体内の画像の印刷条件を設定できる。
【００３１】
また、特に請求項１１の発明によれば、空き容量が基準量を超えるときのみ、印刷条件ファイルが作成されるため、印刷条件ファイルが強制的に作成された場合におけるデータ破壊が防止される。
【００３２】
また、特に請求項１２の発明によれば、空き容量が基準量を超えるときのみ、未登録画像に対して初期条件が登録されるため、初期条件が強制的に設定された場合におけるデータ破壊が防止される。
【発明を実施するための最良の形態】
【００３３】
以下、図面を参照しつつ本発明の実施の形態について説明する。
【００３４】
＜１．デジタルカメラの構成＞
図１及び図２は、本発明の実施の形態に係るデジタルカメラ１の外観構成を示す斜視図であり、図１は前面側、図２は背面側をそれぞれ示している。
【００３５】
図１に示すように、デジタルカメラ１の前面側には、撮影レンズ１１、光学ファインダ１２の対物窓、及び、フラッシュ１３が設けられている。撮影レンズ１１は、複数のレンズ群から構成されている。
【００３６】
デジタルカメラ１の上面側には、電源の投入／遮断（オン／オフ）の切り替え指示を受け付けるメインスイッチ２１、及び、被写体を撮影する指示（撮影指示）をユーザから受け付ける撮影受付部材であるシャッタボタン２２が配置されている。
【００３７】
デジタルカメラ１の側面には開閉自在な蓋１４が形成されている。この蓋１４の内側には、画像を記録するための記録媒体であるメモリカード９１が装着可能なカードスロット１５、及び、デジタルカメラ１に駆動電力を供給するバッテリ９２を装填可能な電池室１６が形成されている。
【００３８】
また、図２に示すように、デジタルカメラ１の背面側には、光学ファインダ１２の接眼窓、各種情報の表示を行う液晶モニタ１７、並びに、ユーザ操作を受け付ける操作部材であるモード切替ボタン２３、十字ボタン２４、プリントボタン２５及びファンクションボタン群２６が設けられている。
【００３９】
液晶モニタ１７は、メモリカード９１に記録された画像や、デジタルカメラ１の各種設定を行うための設定メニューなど様々な情報を表示する。撮影待機状態において液晶モニタ１７には、被写体のほぼリアルタイムな状態を示すライブビュー画像が表示され、ユーザは液晶モニタ１７をファインダ替わりに利用することが可能とされている。
【００４０】
モード切替ボタン２３及びプリントボタン２５は、デジタルカメラ１の動作モードの切り替えに利用される。デジタルカメラ１はその動作モードとして「撮影モード」と「再生モード」と「プリントモード」とを有している。
【００４１】
「撮影モード」は被写体の画像を取得するための動作モードであり、「再生モード」は画像を再生表示するための動作モードである。また、「プリントモード」は、メモリカード９１に記録された画像の印刷枚数などの印刷条件を設定するための動作モードである。「プリントモード」において設定された印刷条件は自動プリントファイルに登録される。自動プリントファイルは、例えばＤＰＯＦ（Ｒ）規格に準拠した、画像の印刷条件を示す印刷条件ファイルであり、画像を印刷するプリンタや写真店（ラボ）などで利用される。
【００４２】
十字ボタン２４は、主として各種設定操作に用いられるボタンであり、上ボタン２４ｕ、下ボタン２４ｄ、左ボタン２４ｌ、右ボタン２４ｒ、及び、決定ボタン２４ｃから構成されている。また、ファンクションボタン群２６は、デジタルカメラ１の動作状態に応じて機能が動的に割り当てられるボタン群であり、第１ボタン２６ａ、第２ボタン２６ｂ及び第３ボタン２６ｃの３つのボタンから構成されている。第１ボタン２６ａは主として液晶モニタ１７に設定メニューを表示させるボタン、第２ボタン２６ｂは主として液晶モニタ１７の表示状態を変更するボタン、第３ボタン２６ｃは主としてフラッシュ１３の発光／非発光の設定を切り替えるためのボタンとしてそれぞれ利用される。
【００４３】
図３は、デジタルカメラ１の主たる内部構成を示す機能ブロック図である。図に示すように、デジタルカメラ１は、その内部に装置全体を統括的に制御する制御部３５を備えている。制御部３５は、マイクロコンピュータを備えて構成され、各種の演算処理を行うＣＰＵ３６、制御プログラムやデータ等が記憶されるＲＯＭ３７、及び、演算の作業領域などに利用されるＲＡＭ３８を備えている。ＲＯＭ３７としては電気的にデータの書き換えが可能な不揮発性の半導体メモリ（例えばフラッシュＲＯＭ）が採用され、ＲＡＭ３８としては高速アクセス可能な半導体メモリ（例えばＤＲＡＭ）が採用されている。デジタルカメラ１の各処理部は、この制御部３５に対して電気的に接続され、制御部の制御下において動作する。
【００４４】
ＣＣＤ３１は、被写体の画像を取得する撮像素子であり、撮影レンズ１１により結像された被写体の光像を信号電荷（画像信号）に光電変換する受光部、及び、信号電荷を転送する転送部等から構成されている。受光部は、Ｒ（赤）Ｇ（緑）Ｂ（青）いずれかのカラーフィルタがそれぞれ貼り付けられた複数の画素で構成される。受光部の各画素に蓄積された信号電荷は読み出されて、転送部により転送されつつ出力される。
【００４５】
信号処理回路３２は、ＣＤＳ（相関二重サンプリング）回路とＡＧＣ（オートゲインコントロール）回路とをその内部に有し、ＣＣＤ３１から出力される画像に対して所定のアナログ信号処理を施す。Ａ／Ｄ変換器３３は、信号処理回路３２から出力されたアナログ信号の画像をデジタル信号の画像に変換する。画像処理部３４は、画像に対して、色成分補間処理、ホワイトバランス補正処理、γ補正処理、解像度変換処理、及び、圧縮処理等の各種画像処理を施す。
【００４６】
例えば撮影モードにおいて静止画像を記録する場合においては、まず、シャッタボタン２２の操作に応答して、ＣＣＤ３１により被写体の画像が取得される。この画像は、信号処理回路３２及びＡ／Ｄ変換器３３により所定の処理が施された後、制御部３５のＲＡＭ３８に格納される。ＲＡＭ３８に格納された画像にはさらに、画像処理部３４により各種の画像処理がなされる。この画像処理部３４の画像処理により、メモリカード９１に記録するための圧縮された画像が生成される。生成された画像は、制御部３５により、タグ情報及びサムネイル画像などを含むＥｘｉｆ（Exchangeable Image File Format）形式の画像ファイルとされてメモリカード９１に記録される。
【００４７】
カードインターフェース１８は、カードスロット１５に装着されるメモリカード９１へのアクセス、すなわち、データの書込や読出を行なう。このカードインターフェース１８は制御部３５に電気的に接続され、制御部３５からの信号に基づいてメモリカード９１へアクセスする。また、タイマ３９は、計時を行なうための計時回路であり、計時結果は制御部３５に入力される。
【００４８】
操作部２０は、上述したシャッタボタン２２、モード切替ボタン２３、十字ボタン２４、プリントボタン２５及びファンクションボタン群２６等の複数の操作部材を一の機能ブロックとして示している。操作部２０で受け付けられたユーザ操作は信号として制御部３５に入力される。これにより、動作モードの切替など、ユーザ操作に応答した動作制御が制御部３５によってなされる。また、上述したフラッシュ１３、及び、液晶モニタ１７も制御部３５に電気的に接続されており、制御部３５の制御下におかれる。さらに、電池室１６に装填されるバッテリ９２も制御部３５の制御下におかれる。
【００４９】
制御部３５の各種の機能は、ＲＯＭ３７に記憶される制御プログラムに従ってＣＰＵ３６が演算処理を行うことにより実現される。このような制御プログラムは、予めＲＯＭ３７内に記憶されているものであるが、メモリカード９１から読み出すなどにより新たな制御プログラムをＲＯＭ３７に格納することも可能とされている。
【００５０】
このような制御プログラムに従ったＣＰＵ３６の演算によって実現される制御部３５の機能には、デジタルカメラ１の上述した各部の動作制御機能の他、絞り値および露光時間などの露出条件を決定する機能や、撮影レンズ１１の合焦位置を決定する機能などの各種の機能が含まれる。
【００５１】
図３において、モード制御部４１、印刷条件設定部４２、電源制御部４３、無操作時制御部４４及びカード制御部４５は、制御プログラムに従ったＣＰＵ３６の演算によって実現される機能の一部を示している。
【００５２】
モード制御部４１は、動作モードの切替に係る制御を担う機能である。モード切替ボタン２３が押下されたなどの所定の基準条件に従って、動作モード（「撮影モード」、「再生モード」及び「プリントモード」）のいずれかを選択的に能動化する。
【００５３】
印刷条件設定部４２は、画像の印刷条件を設定するための制御を担う機能である。自動プリントファイルの作成や、自動プリントファイルへの印刷条件の登録などを行なう。
【００５４】
電源制御部４３は、バッテリ９２に係る制御を担う機能である。メインスイッチ２１の操作に応答して、バッテリ９２からデジタルカメラ１の各処理部への電力の供給／非供給を切り替える。また、電源制御部４３は、バッテリ９２からの電力の供給先を変更することで、デジタルカメラ１の状態を通常状態と省電力状態との間で切り替える。すなわち、通常状態においては、デジタルカメラ１の略全ての処理部に電力を供給するように制御し、省電力状態においてはＣＰＵ３６などの最小限の処理部のみに電力を供給するように制御する。
【００５５】
無操作時制御部４４は、操作部２０に含まれる複数の操作部材のいずれもがユーザ操作を受け付けなかった無操作時間に係る制御を担う機能である。無操作時間をタイマ３９を用いて計時するとともに、無操作時間が所定の条件を満足したとき、それに応じてデジタルカメラ１の動作を制御する。例えば、プリントモードにおいて無操作時間が所定時間を超えたときは、電源制御部４３に信号を送信し、デジタルカメラ１の状態を省電力状態に移行させる。また、省電力状態においては、複数の操作部材のいずれかがユーザ操作を受け付けたとき、電源制御部４３に信号を送信し、デジタルカメラ１の状態を通常状態に復帰させる。
【００５６】
カード制御部４５は、メモリカード９１に係る制御を担う機能である。メモリカード９１のカードスロットへの装着／非装着の検出や、メモリカード９１の空き容量の検出などを行なう。
【００５７】
＜２．動作モード概要＞
次に、デジタルカメラ１の動作モード（「撮影モード」、「再生モード」及び「プリントモード」）のそれぞれの概要を説明する。
【００５８】
＜２−１．撮影モード＞
「撮影モード」は被写体の画像を取得してメモリカード９１に記録するための動作モードであり、デジタルカメラ１では「１コマ撮影」「連続撮影」「インターバル撮影」「動画撮影」などの多様な撮影動作が可能となっている。これらの撮影動作は、「撮影モード」において設定メニューを表示させた後、所定の操作を行なうことで切り替えることができる。
【００５９】
「１コマ撮影」は、シャッタボタン２２の押下に応答して静止画像を１枚取得する通常の撮影動作である。また、「連続撮影」は、シャッタボタン２２が押下されている間、時間的に連続して複数の静止画像を取得する「連写」とも呼ばれる撮影動作である。
【００６０】
「インターバル撮影」は、所定の時間周期で撮影を行なって複数の静止画像を取得する撮影動作であり、花が開いていく様子の撮影など定点観測に主に使用される。「インターバル撮影」では、シャッタボタン２２が１回押下されると被写体の撮影が１回行なわれ、その後、所定時間が経過する毎に撮影が行なわれる。これにより、所定の時間周期で撮影が繰り返されることとなる。そして、シャッタボタン２２がもう一度押下されたとき、撮影（の繰り返し）が終了される。撮影周期は、例えば１〜６０分の間で設定することが可能となっている。
【００６１】
「動画撮影」は、動画像を取得する撮影動作である。「動画撮影」では、シャッタボタン２２が１回押下されると、動画像の取得のための撮影が開始され、シャッタボタン２２がもう一度押下されたとき撮影が停止される。
【００６２】
＜２−２．再生モード＞
再生モードはメモリカード９１内の画像を液晶モニタ１７に再生表示するための動作モードであり、デジタルカメラ１では「１コマ再生表示」「動画再生表示」「スライドショー表示」などの多様な再生表示動作が可能となっている。
【００６３】
「１コマ再生表示」及び「動画再生表示」は、一の画像を再生表示する動作である。再生モードの開始時点では、液晶モニタ１７に表示する画像（以下、「表示画像」という。）は、メモリカード９１内の複数の画像のうちの直近の撮影により得られた一の画像とされる。そして、左右ボタン２４ｌ，２４ｒが押下されると表示画像が隣接順序の画像に変更される。この表示画像が静止画像のときは、その画像が液晶モニタ１７にそのまま表示され（「１コマ再生表示」）、一方、表示画像が動画像のときは、動画像に含まれる最初のコマが静止画像的にまず表示され、決定ボタン２４ｃが押下されると、その動画像が再生表示される（「動画再生表示」）。
【００６４】
一方、「スライドショー表示」は、メモリカード９１内に記録された全ての静止画像を所定の時間周期で順次に切り替えつつ一の静止画像ごとに再生表示する動作である。つまり、「スライドショー表示」では、表示画像が、所定の時間周期で次順の画像に自動的に変更されることとなる。この「スライドショー表示」は、再生モードにおいて設定メニューを表示させた後、所定の操作を行なうことで実行することができる。
【００６５】
また、再生モードにおいては、第２ボタン２６ｂに「削除ボタン」としての機能が割り当てられる。第２ボタン２６ｂが押下されると、表示画像がメモリカード９１から削除される。
【００６６】
＜２−３．プリントモード＞
プリントモードは、メモリカード９１に記録された画像の印刷枚数などの印刷条件を設定して、設定した印刷条件を自動プリントファイル内に登録するための動作モードである。
【００６７】
まず、自動プリントファイルについて説明する。自動プリントファイルは、メモリカード９１内に作成される。図４は、本実施の形態で使用されるメモリカード９１内のデータ格納構造を示す図である。図４に示すように、メモリカード９１内のデータ格納構造には、階層フォルダ構造（階層ディレクトリ構造）が採用され、各種のデータファイルは階層フォルダ構造におけるいずれかのフォルダＦ０〜Ｆ１内に格納される。なお、図４において、フォルダＦ０〜Ｆ１やデータファイルｄ１〜ｄ２の横に示された文字列は、対応するフォルダＦ０〜Ｆ２やデータファイルｄ１〜ｄ２の名称を示している。
【００６８】
図４に示すように、階層フォルダ構造の最上層には、「ルート」フォルダＦ０が設けられ、この「ルート」フォルダ内には子フォルダとして「ＤＣＩＭ」フォルダＦ１と「ＭＩＳＣ」フォルダＦ２とが設けられている。デジタルカメラ１で取得された画像を含む画像ファイルｄ１は「ＤＣＩＭ」フォルダＦ１に格納される。そして、自動プリントファイル（ＡＵＴＰＲＩＮＴ．ＭＲＫ）ｄ２は、「ＭＩＳＣ」フォルダＦ２に作成されるようになっている。
【００６９】
図５は、自動プリントファイルのデータ構成例を示す図である。図に示すように、自動プリントファイルｄ２は、テキストファイルで構成され、ヘッダ記載部ＡＰ１、実行ジョブ登録部ＡＰ２、及び、保留ジョブ登録部ＡＰ３が含まれている。
【００７０】
ヘッダ記載部ＡＰ１には、自動プリントファイルを作成したデジタルカメラの機種名や、作成日時などが記載される。一方、実行ジョブ登録部ＡＰ２及び保留ジョブ登録部ＡＰ３には、メモリカード９１内の画像それぞれに対応する印刷条件が、それぞれ印刷ジョブとして登録されている。つまり、一の画像には一の印刷ジョブが対応するようになっている。なお通常、動画像は印刷対象とはならないため、印刷ジョブは静止画像のみに対応して存在する。
【００７１】
各印刷ジョブには、印刷ジョブを識別するための識別ＩＤ、印刷枚数、及び、対応する画像の相対パスなどが含まれている。このような印刷ジョブのうち、印刷枚数に「１」以上の値が設定された印刷ジョブは「実行ジョブ」として実行ジョブ登録部ＡＰ２に登録され、一方、印刷枚数に「０」が設定された印刷ジョブは「保留ジョブ」として保留ジョブ登録部ＡＰ３に登録される。
【００７２】
図６は、プリントモードの処理の流れを示す図である。以下、この図を参照して、プリントモードの処理の流れについて説明する。
【００７３】
動作モードがプリントモードに移行すると、まず、印刷条件設定部４２の制御により、自動プリントファイルの作成や、印刷条件の設定がなされていない未設定画像に対しての印刷条件の設定などを行なう自動印刷設定処理がなされる（ステップＳ１）。この自動印刷設定処理の詳細については後述する。
【００７４】
次に、直近に得られた静止画像が液晶モニタ１７の画面に表示される（ステップＳ２）。図７は、プリントモードにおける液晶モニタ１７の画面の表示例を示す図である。図に示すように、液晶モニタ１７においては、一の画像（静止画像）が表示画像１７０として表示される。これとともに、表示画像１７０に重畳して印刷条件等を示すウィンドウが表示される。より具体的には、メモリカード９１内の各画像に設定された印刷枚数の合計値である合計枚数を示すウィンドウ１７１が画面左上に表示され、表示画像に設定された印刷枚数を示すウィンドウ１７２が画面右上に表示される。また、プリントモードにおいては、第２ボタン２６ｂに「削除ボタン」、第３ボタン２６ｃに「保留ボタン」としての機能がそれぞれ割り当てられる。これを明示するため、第２ボタン２６ｂの近接位置には「削除」を示すウィンドウ１７３、第３ボタン２６ｃの近接位置には「保留」のウィンドウ１７４がそれぞれ表示される。
【００７５】
このような表示がなされた後は、操作部２０を介したユーザ操作を待機する状態となる（ステップＳ３）。そして、ユーザ操作がなされた場合は、操作に応じた処理がなされることとなる（ステップＳ４〜）。なお、図６では、プリントモードにおいて、受け付け可能なユーザ操作のうちの主要なもののみを示している。
【００７６】
上ボタン２４ｕが押下された場合は、表示画像の印刷枚数が、許容枚数（例えば「９９」）を超えない限り「１」増加される（ステップＳ５）。一方、下ボタン２４ｄが押下された場合は、表示画像の印刷枚数が、負の値とならない限り「１」減少される（ステップＳ６）。なお、これらの印刷枚数の変更は、あくまでＲＡＭ３８内のデータ上でなされるものであり、その変更内容が自動プリントファイルの印刷ジョブに即座に反映されるわけではない。
【００７７】
右ボタン２４ｒが押下された場合は、表示画像に対して設定されたＲＡＭ３８内の印刷枚数が、自動プリントファイルのうちの当該画像に対応する印刷ジョブに反映される。これにより、自動プリントファイルの内容が更新される。このとき、印刷枚数が「１」以上であれば当該印刷ジョブは「実行ジョブ」として実行ジョブ登録部ＡＰ２に登録され、印刷枚数が「０」であれば当該印刷ジョブは「保留ジョブ」として保留ジョブ登録部ＡＰ３に登録される（ステップＳ７）。続いて、表示画像が次順の静止画像に変更される。そして、この表示画像の変更に伴って、変更後の表示画像に対応する自動プリントファイルの印刷ジョブから印刷枚数が読み出され、その値が画面右上のウィンドウ１７２に表示される（ステップＳ８）。一方、左ボタン２４ｌが押下された場合は、右ボタン２４ｒのときと同様に、表示画像に対して設定された印刷枚数が、自動プリントファイルの印刷ジョブに反映される（ステップＳ９）。続いて、表示画像が前順の静止画像に変更され、その印刷枚数が画面右上のウィンドウ１７２に表示される（ステップＳ１０）。
【００７８】
削除ボタンとして機能する第２ボタン２６ｂが押下された場合は、表示画像がメモリカード９１から削除されるとともに、削除した画像に対応する印刷ジョブも自動プリントファイルから削除される（ステップＳ１１）。続いて、表示画像が次順の静止画像に変更され、その印刷枚数が画面右上のウィンドウ１７２に表示される（ステップＳ１２）。
【００７９】
保留ボタンとして機能する第３ボタン２６ｃが押下された場合は、表示画像の印刷枚数が「０」に設定され、その印刷枚数が自動プリントファイルの印刷ジョブに反映される。印刷枚数が「０」のため、表示画像に対応する印刷ジョブは「保留ジョブ」として保留ジョブに登録される（ステップＳ１３）。続いて、表示画像が次順の静止画像に変更され、その印刷枚数が画面右上のウィンドウ１７２に表示される（ステップＳ１４）。
【００８０】
プリントモードでは、以上のような処理がなされるため、ユーザは操作部２０を適宜操作することにより、所望の画像に対して所望の印刷枚数を設定できることとなる。
【００８１】
＜３．デジタルカメラの状態遷移＞
デジタルカメラ１はモード制御部４１の制御により、所定の基準条件に従って「撮影モード」、「再生モード」及び「プリントモード」の間で動作モードが移行される。これとともに、デジタルカメラ１は無操作時制御部４４の制御により、所定の基準条件に従って「通常状態」と「省電力状態」との間で状態が移行される。以下では、このようなデジタルカメラ１の状態の遷移について説明する。
【００８２】
図８は、デジタルカメラ１の状態の遷移を説明するためのブロック図である。図において、ＳＴで始まる符号で示すブロックはデジタルカメラ１の状態を示しており、ＳＤで始まる符号で示すブロックは判断処理を示している。
【００８３】
デジタルカメラ１では、メインスイッチ２１の操作によって電源が投入されると、まず、動作モードがプリントモード（ステートＳＴ１）となる。つまり、電源の投入開始に応答して、プリントモードが能動化される。
【００８４】
プリントモード（ステートＳＴ１）においては、モード切替ボタン２３が押下されると動作モードが撮影モード（ステートＳＴ２）に移行する。また、プリントモードでは、シャッタボタン２２が押下された場合も動作モードが撮影モードに移行し、移行とともに被写体の撮影がなされ画像が取得される。これにより、プリントモードであっても、シャッタチャンスを逃すことがないようになっている。また、プリントモードにおいて無操作時間が所定の基準時間（本実施の形態では５分）を超えると、デジタルカメラ１は通常状態から省電力状態（ステートＳＴ４）に移行する。
【００８５】
省電力状態（ステートＳＴ４）においては、複数の操作部材のいずれかがユーザ操作を受け付けたとき、デジタルカメラ１は通常状態に復帰する。このとき、その復帰の動機となったユーザ操作の種類が判定され、その種類に応じた動作モードが能動化される。これにより、復帰後にユーザが所望する動作を即座に行なうことができるようになっている。
【００８６】
具体的には、ユーザ操作を受け付けた操作部材がシャッタボタン２２であるか否かが判定される（ステップＳＤ１）。そして、その操作部材がシャッタボタン２２とは別の部材のときは、プリントモードが能動化される。一方、その操作部材がシャッタボタン２２であるときは撮影モードが能動化され、通常状態への復帰とともに被写体の撮影がなされ画像が取得される。これにより、省電力状態であってもシャッタチャンスを逃すことがないようになっている。
【００８７】
撮影モード（ステートＳＴ２）においては、モード切替ボタン２３が押下されると動作モードが再生モード（ステートＳＴ３）に移行し、プリントボタン２５が押下されると動作モードがプリントモード（ステートＳＴ１）に移行する。また、再生モード（ステートＳＴ３）においては、モード切替ボタン２３が押下されると動作モードが撮影モード（ステートＳＴ２）に移行し、プリントボタン２５が押下されると動作モードがプリントモード（ステートＳＴ３）に移行する。つまり、撮影モード及び再生モードのいずれの場合であっても、プリントボタン２５の押下によって動作モードがプリントモードに移行する。このため、ユーザは直感的にデジタルカメラ１の動作モードをプリントモードに移行させることができるようになっている。
【００８８】
また、撮影モード及び再生モードにおいては、無操作時間が所定の基準時間（本実施の形態では３分）を超えると、無操作時制御部４４及びモード制御部４１の制御により、動作モードがプリントモード（ステートＳＴ１）に移行する。ただし、撮影モードにおいては、無操作時間が基準時間（３分）を超えた場合であっても、「動画撮影」中あるいは「インターバル撮影」中であれば、動作モードが撮影モードに維持される（ステップＳＤ２にてＹｅｓ）。「動画撮影」中や「インターバル撮影」中においては、撮影が完了するまでユーザ操作はなされないため、無操作時間が基準時間（３分）を超える場面が頻繁に生じるが、この場合に動作モードがプリントモードに移行されると、撮影が中断されて所望する画像が取得できなくなる。本実施の形態では、この場合に動作モードが撮影モードに維持されることから、撮影が中断されることが防止される。
【００８９】
また、再生モードにおいては、無操作時間が基準時間（３分）を超えた場合であっても、「動画再生」中あるいは「スライドショー表示」中であれば、動作モードが撮影モードに維持される（ステップＳＤ３にてＹｅｓ）。「動画再生」中や「スライドショー表示」中においては、再生が完了するまで比較的時間がかかり、無操作時間が基準時間（３分）を超える場面が頻繁に生じるが、この場合に動作モードがプリントモードに移行されると、再生表示が中断されてしまう。本実施の形態では、この場合に再生モードが撮影モードに維持されることから、再生表示が中断されることが防止されることとなる。
【００９０】
以上のようにデジタルカメラ１では、電源の投入が開始されたとき、シャッタボタン２２の操作以外で省電力状態から復帰したとき、並びに、撮影モード及び再生モードにおいて一定時間操作がないときなど、ユーザが意識しない多くの場面において、プリントモードが能動化される。このため、ユーザは特に意識することなくデジタルカメラ１の動作モードをプリントモードに移行させることができ、画像の印刷条件の設定を容易に行なうことができるようになっている。
【００９１】
＜４．自動印刷設定処理＞
次に、動作モードがプリントモードへ移行した直後に、印刷条件設定部４２の制御によりなされる自動印刷設定処理（図６：ステップＳ１）について説明する。図９は、自動印刷設定処理の流れを示す図である。
【００９２】
まず、メモリカード９１内に自動プリントファイルが存在するか否かが確認される（ステップＳ２１）。自動プリントファイルが存在する場合は、処理はステップＳ２４に進む。
【００９３】
一方、自動プリントファイルが存在しない場合は、続いて、カード制御部４５によりメモリカード９１の空き容量が取得され、取得されたメモリカード９１の空き容量が、自動プリントファイルの作成に必要となる所定の基準量を超えるか否かが判定される（ステップＳ２２）。メモリカード９１の空き容量が基準量を超えるときは、自動プリントファイルがメモリカード９１内に作成される。この処理により、ユーザの煩雑な操作を伴うことなく、メモリカード９１内に自動プリントファイルが自動的に作成されることとなる（ステップＳ２３）。
【００９４】
また、メモリカード９１の空き容量が基準量を超えないときは、「空き容量が少なく、自動プリントファイルの作成ができない」旨の警告表示が液晶モニタ１７になされ（ステップＳ３０）、自動プリントファイルが作成されることなく、自動印刷設定処理が終了される。メモリカード９１の空き容量が基準量に満たないときに、強制的に自動プリントファイルを作成するとメモリカード９１内のデータ破壊が生じる可能性がある。本実施の形態では、メモリカード９１の空き容量が基準量を超えるときのみ自動プリントファイルが作成されるため、このようなデータ破壊を防止できる。
【００９５】
自動プリントファイルが存在した場合、あるいは、自動プリントファイルが作成された場合には、続いて、メモリカード９１内のデータ内容が確認され、自動プリントファイルに登録された全ての印刷ジョブ（「実行ジョブ」及び「保留ジョブ」の双方を含む）のリストである「ジョブリスト」、及び、メモリカード９１内の全ての静止画像のリストである「画像リスト」が取得される（ステップＳ２４）。
【００９６】
次に、ジョブリストと画像リストとが比較され、対応する静止画像が存在しない印刷ジョブ（以下、「非対応ジョブ」という。）が、自動プリントファイルに登録された印刷ジョブに存在するか否かが判定される（ステップＳ２５）。非対応ジョブは、デジタルカメラ１以外の装置でメモリカード９１内の画像の削除や名称変更がなされた場合などに発生する。自動プリントファイル内にこのような非対応ジョブが存在すると、そのデータ量が不必要に増大する。このため、非対応ジョブが存在した場合は、その非対応ジョブが自動プリントファイルから削除される（ステップＳ２６）。
【００９７】
次に、ジョブリストと画像リストとが再び比較され、対応する印刷ジョブが自動プリントファイルに登録されていない静止画像（以下、「未登録画像」という。）が、メモリカード９１内に存在するか否かが判定される（ステップＳ２７）。未登録画像が存在した場合は、次に、カード制御部４５によりメモリカード９１の空き容量が取得され、メモリカード９１の空き容量が、自動プリントファイルの更新に必要となる所定の基準量を超えるか否かが判定される（ステップＳ２８）。
【００９８】
メモリカード９１の空き容量が基準量を超えるときは、所定の初期条件（デフォルト条件）が、未登録画像に対応する印刷ジョブとして自動プリントファイルに登録される。本実施の形態では、初期条件における印刷枚数は「１」となっている。つまり、未登録画像のそれぞれには、１枚印刷するという印刷ジョブが自動的に登録されることとなる。これにより自動プリントファイルが更新され、自動印刷設定処理が終了される（ステップＳ２９）。このような処理により、ユーザの煩雑な操作を伴うことなく、メモリカード９１内の画像の印刷条件が自動的に設定されることとなる。なお、初期条件における印刷枚数の値は、「１」以上の所定数であればどのような数であってもよい。
【００９９】
一方、メモリカード９１の空き容量が基準量を超えないときは、「空き容量が少なく、自動プリントファイルの更新ができない」旨の警告表示が液晶モニタ１７になされ（ステップＳ３０）、自動プリントファイルに未登録画像の印刷ジョブが登録されることなく、自動印刷設定処理が終了される。メモリカード９１の空き容量が基準量に満たないときに、強制的に自動プリントファイルを更新するとメモリカード９１内のデータ破壊が生じる可能性がある。本実施の形態では、メモリカード９１の空き容量が基準量を超えるときのみ自動プリントファイルに未登録画像の印刷ジョブが登録されるため、このようなデータ破壊を防止できる。
【０１００】
以上のように、自動印刷設定処理では、ユーザの煩雑な操作を伴うことなく、自動プリントファイルが存在しないときは自動プリントファイルがメモリカード９１内に自動作成されるとともに、未登録画像がある場合は未登録画像に対応する印刷ジョブが自動登録される。
【０１０１】
前述したように、自動印刷設定処理はプリントモードの能動化に応答して行なわれる。また、プリントモードは、電源の投入が開始されたとき、並びに、撮影モード及び再生モードにおいて一定時間操作がないときなどに能動化される。つまり、自動印刷設定処理は、「電源の投入開始に応答して」、あるいは、「無操作時間が所定の基準時間を超えたときに」なされるともいえる。このような処理により、デジタルカメラ１では、ユーザの煩雑な操作を伴うことなく、自動プリントファイルを作成でき、かつ、画像の印刷条件を設定できるわけである。
【０１０２】
＜５．プリントモード以外の自動印刷設定処理＞
上記では、プリントモードへ移行する際に自動印刷設定処理がなされると説明したが、他の基準条件が満足されたときに、自動印刷設定処理がなされてもよい。以下、自動印刷設定処理を呼び出す他の条件の例を具体的に説明する。
【０１０３】
＜５−１．カード装着時＞
図１０は、カード制御部４５の制御によりなされるカード確認処理の流れを示す図である。このカード確認処理は、デジタルカメラ１の通常状態において常時行なわれる処理である。
【０１０４】
カード確認処理においては、カードスロット１５内にメモリカード９１が存在しているか否かの確認が繰り返される（ステップＳ４１）。そして、この確認においてメモリカード９１が存在しない場合は、液晶モニタ１７にその旨を示す警告表示がなされ（ステップＳ４４）、メモリカード９１を使用する動作が制限される（ステップＳ４５）。一方、メモリカード９１が存在する場合は、動作制限が解除されることとなる（ステップＳ４２）。
【０１０５】
このような繰り返し処理において、メモリカード９１の存在が確認され（ステップＳ４１にてＹｅｓ）、かつ、前回の確認時にはメモリカード９１が存在しなかったとき（ステップＳ４３にてＮｏ）、つまり、メモリカード９１が装着された時においては、この装着に応答して、メモリカード９１の状態（フォーマット状態や空き容量など）が確認された後（ステップＳ４６）、自動印刷設定処理がなされる（ステップＳ４７）。
【０１０６】
つまり、この例においては、メモリカード９１の装着に応答して、自動印刷設定処理がなされるようになっている。このため、この例においても、ユーザの煩雑な操作を伴うことなく、自動プリントファイルを作成でき、また、画像の印刷条件を設定できる。これとともに、全画像に対応する印刷ジョブが登録された自動プリントファイルが作成されたメモリカード９１を、当該メモリカード９１をカードスロット１５内に装着するのみで即座に作成できる。
【０１０７】
＜５−２．カードアクセス時＞
図１１は、再生モードの処理の一例を示す図である。この例においては、動作モードが再生モードに移行すると、まず、直近に得られた画像が液晶モニタ１７の画面に表示される（ステップＳ５１）。その後、操作部２０を介したユーザ操作を待機する状態となり（ステップＳ５２）、ユーザ操作がなされた場合は、操作に応じた処理がなされることとなる（ステップＳ５３〜）。
【０１０８】
具体的には、右ボタン２４ｒが押下された場合は、次順の画像が読み出されて表示画像とされ（ステップＳ５４）、左ボタン２４ｌが押下された場合は、前順の画像が読み出されて表示画像とされる（ステップＳ５５）。また、第２ボタン２６ｂが押下された場合は、表示画像がメモリカード９１から削除され（ステップＳ５６）、次順の画像が読み出されて表示画像とされる（ステップＳ５７）。そして、この例では、このように画像の読み出しや削除などのメモリカード９１へのアクセスが発生すると、自動印刷設定処理がなされる（ステップＳ５８）。
【０１０９】
この例のように、カードアクセス時に自動印刷設定処理を行なうようにすれば、自動印刷設定処理が頻繁になされるため、ユーザの煩雑な操作を伴うことなく、かつ、ユーザが意識することなく、自動プリントファイルを作成でき、また、画像の印刷条件を設定できることとなる。
【０１１０】
＜６．変形例＞
以上、本発明の実施の形態について説明してきたが、この発明は上記実施の形態に限定されるものではなく様々な変形が可能である。
【０１１１】
例えば、印刷条件には、印刷枚数のみならず、印刷サイズ、印刷品質、印刷使用色、及び、印刷方向など他の要素が含まれていてもよい。
【０１１２】
また、未登録画像の印刷ジョブとされる初期条件の内容をユーザが任意に設定できるようになっていてもよい。
【０１１３】
また、上記実施の形態では、ＣＰＵがプログラムに従って演算処理を行うことにより各種機能が実現されると説明したが、これら機能の全部または一部は専用の電気的回路により実現されてもよい。特に、繰り返し演算を行う箇所をロジック回路にて構築することにより、高速な演算が実現される。
【図面の簡単な説明】
【０１１４】
【図１】デジタルカメラの外観構成を示す斜視図である。
【図２】デジタルカメラの外観構成を示す斜視図である。
【図３】デジタルカメラの主たる内部構成を示す機能ブロック図である。
【図４】メモリカード内のデータ格納構造を示す図である。
【図５】自動プリントファイルのデータ構成例を示す図である。
【図６】プリントモードの処理の流れを示す図である。
【図７】プリントモードにおける液晶モニタの画面の表示例を示す図である。
【図８】デジタルカメラの状態の遷移を説明するためのブロック図である。
【図９】自動印刷設定処理の流れを示す図である。
【図１０】カード確認処理の流れを示す図である。
【図１１】再生モードの処理の一例を示す図である。
【符号の説明】
【０１１５】
１      デジタルカメラ
１５      カードスロット
１７      液晶モニタ
２１      メインスイッチ
２２      シャッタボタン
２５      プリントボタン
９１      メモリカード
９２      バッテリ
【図１】
2005117119.tif 000003
【図２】
2005117119.tif 000004
【図３】
2005117119.tif 000005
【図４】
2005117119.tif 000006
【図５】
2005117119.tif 000007
【図６】
2005117119.tif 000008
【図７】
2005117119.tif 000009
【図８】
2005117119.tif 000010
【図９】
2005117119.tif 000011
【図１０】
2005117119.tif 000012
【図１１】
2005117119.tif 000013